【事件の表示】
　特許第５８６０９２５号発明「缶蓋」の特許異議申立事件について、次のとおり決定する。
【結　論】
　特許第５８６０９２５号の請求項１に係る特許を維持する。
【理　由】
１．手続の経緯
　特許第５８６０９２５号の請求項１に係る特許についての出願は、平成２６年６月１１日に特許出願され、平成２７年１２月２５日にその特許権の設定登録がされ、その後、その特許について、特許異議申立人　横山　佳孝により特許異議の申立てがされ、当審において平成２８年１１月２１日付けで取消理由を通知し、平成２９年１月２４日付けで意見書が提出されたものである。
２．本件発明
　「【請求項１】  センターパネルの外周縁に缶内側に窪んだ環状溝が形成され、該環状溝の外周縁から外方に傾斜して立ち上がるチャックウォールが延設され、さらに該チャックウォールの外周縁からシーミングパネルが延設されてなる缶蓋において、
　前記チャックウォールの環状溝側の部分は、缶軸方向に対する傾斜角度が４０〜６０°に形成され、
　前記シーミングパネルは、チャックウォール側から外方に向かって、外面曲率半径（Ｒ１）のシーミングパネルラジアス部、外面曲率半径（Ｒ２）の第１シーミングウォール部、外面曲率半径（Ｒ３）の第２シーミングウォール部、外面曲率半径（Ｒ４）のカバーフック部が順次連接され、かつ前記カバーフック部の先端が缶蓋の中心方向を向いてなり、各部の曲率半径がＲ２＞Ｒ１＞Ｒ４  かつ  Ｒ２≧Ｒ３＞Ｒ４の関係を満たすとともに、缶蓋の最大外周からカバーフック部の先端までの缶径方向の距離（Ｘ）が０．２〜３．０ｍｍに形成され、
　前記シーミングパネルラジアス部の外面曲率半径（Ｒ１）が１．３〜２．３ｍｍであり、前記第１シーミングウォール部の外面曲率半径（Ｒ２）が２．５〜３．５ｍｍであり、前記第２シーミングウォール部の外面曲率半径（Ｒ３）が１．０〜２．３ｍｍであり、前記カバーフック部の外面曲率半径（Ｒ４）が０．３〜１．３ｍｍであり、
　前記シーミングパネルの最上端からカバーフック部の下端までの缶軸方向の距離（ｈ）が２．２〜２．５ｍｍであり、かつ前記シーミングパネルの最上端からカバーフック部の最大外周までの缶径方向の距離（Ｌ）が１．９〜２．３ｍｍであり、
　前記環状溝は底壁、内側壁および外側壁で構成され、前記底壁の内面曲率半径は０．７５ｍｍであり、内側壁および外側壁は強度向上の観点から缶軸と平行、あるいは缶軸に対して１５°以下の傾斜角度で開いていることを特徴とする缶蓋。」
３．取消理由の概要
　当審において、本件発明に対して通知した取消理由の要旨は、次のとおりである。
（１）甲第１号証（特表平１１−５０５７９１号公報）に記載された発明に甲第２号証（特開２００２−１７２４４６号公報）に記載された技術的事項を適用することにより、本件発明は、当業者が容易に発明をすることができたものである。よって本件発明に係る特許は、特許法第２９条第２項の規定に違反してされたものである。
（２）甲第１号証に記載された発明に甲第２号証、甲第３号証（特開平１−１６７０５０号公報）、並びに甲第４号証（特開２００６−１５８６号公報）に記載の各々の技術的事項を適用することにより、本件発明は、当業者が容易に発明をすることができたものである。よって本件発明に係る特許は、特許法第２９条第２項の規定に違反してされたものである。
４．甲各号証の記載
　甲第１号証には、「周辺のカバーフックと、・・・缶端」の発明であって、カバーフックの代表寸法と図面による図示が示されている。
　甲第２号証には、缶蓋のカバーフックに形成されたカール部に関し、中央部寄りの曲率半径Ｒ１と周縁部寄りの曲率半径Ｒ２について大小関係及び比率を示した技術的事項が記載されている。チャックウォール４の傾斜角度を開示した箇所は無く、図面の図示から看取できる角度は垂線に対して十分に小であると看られる。
　甲第３号証には、請求項１に記載した二重巻締用缶蓋に関する要部寸法が示され、チャックウォールの缶軸に対する傾斜角度Θ２は１０°〜１５°であり、具体例では１３°であることを前提とした技術的事項が記載されている。
　甲第４号証には、缶蓋のカール部に関する要部寸法を示した技術的事項が記載されている。チャックウォールの傾斜角度を開示した箇所は無く、図面の図示から看取できる角度は垂線に対して十分に小であると看られる。
５．判断
　本件発明と甲第１号証に記載された発明とを対比すると、本件発明は本件特許明細書【００１０】に「本発明の缶蓋は、上述した技術背景に鑑み、チャックウォールの傾斜角度の大きい缶蓋において、・・・」と記載され、上記２．で「前記チャックウォールの環状溝側の部分は、缶軸方向に対する傾斜角度が４０〜６０°に形成され、」という事項を有するのに対し、甲第１号証に記載された発明は「前記チャック壁は、２０°と６０°の間の角度ｃで前記中央パネルの外部に垂直な軸に対して傾斜し」、あるいは「垂線に対する前記チャック壁の角度が４０°と４５°の間にある」という事項を有したものである点で一致し、当該チャックウォールに延設されたシーミングパネルが複数の連接する部分（シーミングパネルラジアス部、第１シーミングウォール部、第２シーミングウォール部、カバーフック部）からなり、各部の曲率半径の好適な範囲を本件発明が定めている点、及び、カバーフック部先端の向き及び長さが特定されている点で、甲第１号証に記載の発明では十分に充足していない点で両者は相違する。
　この相違点について検討すると、甲第２号証が開示する事項単独により、もしくは甲第２号証ないし甲第４号証が各々開示する事項により、当該相違点を充足する関係にあり、甲第１号証に記載の発明と技術分野が同一であることをもってしてこれら充足する事項を甲第１号証へ組み合わせることにより本件発明を容易想到とする異議申立がなされたところ、これらの証拠はいずれも上記４．に示したとおり、缶胴の開口端部に缶蓋を取り付ける技術分野に属するとは言えるものの、開示する缶蓋が含むチャックウォールが環状溝から立ち上がる傾斜角度は、甲第２号証、甲第４号証では直接的には不明とされ、甲第３号証では明らかに甲第１号証に記載の缶蓋が採用した角度と外れた関係にある。
　そして、当該チャックウォールの傾斜角度が異なる仕様とされる事実は、当該技術分野に属する当業者から見ると、互いに缶蓋設計の仕様を異にする関係にある。そうすると、チャックウォールの傾斜角度を垂線に対して２０°から６０°、あるいは４０°から４５°とした前提の仕様とした甲第１号証に記載の発明を起点とした技術的創作を行う場合に、そもそものチャックウォールの傾斜角度の仕様を異にする甲第２号証ないし甲第４号証に記載されたシーミングパネル側の諸量を直ちに採用することは通常考えにくいというべきである。
　また、元々の設計仕様の前提を異とするこれら甲第２号証ないし甲第４号証に示されたシーミングパネルに係る諸量を、甲第１号証に記載の発明へ単純に適用できるとする合理的な説明も見あたらない。
　そうすると、異議申立人が提出した証拠によっては、仕様を異にする技術を組み合わせる動機がないと考えるのが相当である。
　また、特許異議申立人が提出した特許異議申立書の全体を見ても、甲第１号証と、甲第２号証とが、通称ミニシームと通常シームと区別される関係にあることを、１２ページ１６〜２１行に記載されるとおり申立人が自認したものと見受けられるが、そのような場合においても互いに要部の設計値を置換できるとする事情説明を伴っていないため、前記した動機の欠如を覆すに足るものではない。
　したがって、本件発明は、上記甲第１号証に記載された発明及び甲第２号証に記載された技術的事項から、あるいは甲第１号証に記載された発明及び甲第２号証ないし甲第４号証に記載されたいずれかの技術的事項からのいずれを考えた場合であっても、当業者が容易になし得るものではない。
６．むすび
　以上のことから、本件発明に係る特許は、取消理由通知に記載した取消理由及び特許異議申立書に記載された特許異議申立理由によっては、取り消すことができない。
　また、他に本件発明に係る特許を取り消すべき理由を発見しない。
　よって、結論のとおり決定する。
【異議決定日】
平成２９年２月２０日（２０１７．２．２０）